(57)【要約】【課題】液晶モジュールの内部回路の温度上昇を抑制すると共に、表示品質を維持しつつ、液晶モジュールのコストを低減する。【解決手段】液晶モジュール１におけるソースドライバ３に電力を供給する電力供給装置１０において、ソースドライバ３に供給する電流の電流値が所定の検出閾値を超えている場合、ソースドライバ３に供給する出力電圧の電圧値を降下して、ソースドライバ３に電力を供給する。【選択図】図１
2013104926.tif 000002
【特許請求の範囲】
【請求項１】
液晶モジュールにおけるソースドライバに電力を供給する電力供給装置であって、
上記ソースドライバに供給する電流の電流値が所定の検出閾値を超えているか否かを検出し、上記電流値が上記検出閾値を超えている間、アクティブレベルの検出信号を生成し、一方、上記電流値が上記検出閾値を下回っている間、非アクティブレベルの検出信号を生成する電流検出手段と、
上記電流検出手段の生成した検出信号がアクティブレベルの期間、上記ソースドライバに供給する出力電圧の電圧値を降下させる電圧降下手段とを備えることを特徴とする電力供給装置。
【請求項２】
ある時点において、自身が生成した出力維持信号の出力レベルが非アクティブレベルであり、かつ、上記検出信号が非アクティブレベルからアクティブレベルに遷移した場合、当該ある時点から所定の出力維持時間の期間、出力レベルがアクティブレベルとなる出力維持信号を生成する出力維持手段をさらに備え、
上記電圧降下手段は、上記検出信号および上記出力維持信号の何れかがアクティブレベルの期間、上記ソースドライバに供給する出力電圧の電圧値を降下させることを特徴とする請求項１に記載の電力供給装置。
【請求項３】
上記請求項１または２に記載の電力供給装置と、
上記電力供給装置から電力を受給するソースドライバとを備えることを特徴とする液晶モジュール。
【請求項４】
請求項３に記載の液晶モジュールを備えていることを特徴とするテレビジョン受像機。
【請求項５】
液晶モジュールにおけるソースドライバに電力を供給する電力供給装置の制御方法であって、
上記ソースドライバに供給する電流の電流値が所定の検出閾値を超えているか否かを判定する電流値判定ステップと、
上記電流値判定ステップにおいて上記電流値が上記検出閾値を超えていると判定された場合、上記ソースドライバに供給する出力電圧の電圧値を降下させる電圧降下ステップとを含むことを特徴とする電力供給装置の制御方法。
【発明の詳細な説明】
【技術分野】
【０００１】
本発明は、液晶モジュールにおけるソースドライバに電力を供給する電力供給装置、液晶モジュールおよび電力供給方法に関するものである。
【背景技術】
【０００２】
現在、動画像の表示品質を向上させるため、液晶モジュールの２倍速駆動や４倍速駆動を実現している。また、今後は、画素数が４０００×２０００級の「４ｋ×２ｋ」ディスプレイや画素数が８０００×４０００級の「８ｋ×４ｋ」ディスプレイの開発が進み、液晶パネルの高精細化が進む。
【０００３】
このような液晶モジュールでは、液晶ドライバ、特にソースドライバの処理負荷およびソースドライバが駆動するパネル負荷の増加、並びに、ソースドライバの員数の増加により、液晶モジュールの内部回路の消費電力が増加する。消費電力の損失分は熱エネルギーに変換されるため、消費電力の増加と共に、液晶モジュールの温度も上昇する。液晶モジュールの温度の上昇により、液晶モジュールの内部回路の信頼性が低下する。
【０００４】
ここで、従来のアナログ電源回路を有する液晶モジュールの構成を図１７に示し、液晶モジュールの温度上昇の具体的例を説明する。図１７に示すように、液晶モジュール１０１は、液晶パネル１０２、ソースドライバ１０３、ゲートドライバ１０４、ゲートドライバ用ＶＧｏｎ電源回路１０５、ゲートドライバ用ＶＧｏｆｆ電源回路１０６およびソースドライバ用ＡＶＤＤ電源回路１０７を備える。なお、図１７に示すように、液晶モジュール１０１は、ゲートドライバ１０４をＫ個有し、ソースドライバ１０３をＬ個有するものとする（ＫおよびＬは任意の自然数）。
【０００５】
図１７に示すように、ソースドライバ用ＡＶＤＤ電源回路１０７は、Ｌ個のソースドライバ１０３に対して電源を供給する。液晶モジュール１０１が２倍速駆動または４倍速駆動を行うと、各ソースドライバ出力の遷移回数が２倍または４倍となる。すなわち、パネル負荷の充放電回数が増えるため、ソースドライバ１０３の消費電力は２倍または４倍となり、ソースドライバ１０３の温度上昇が飛躍的に大きくなる。
【０００６】
このように、ソースドライバ１０３の温度が上昇し、自身の熱でドライバＩＣ（Integrated Circuit）やＴＣＰ（Tape Carrier Package）等が破損する場合がある。
【０００７】
従来、ソースドライバの破壊を防ぐため、ソースドライバＩＣに放熱シートを貼付することにより、シャーシに熱を逃がすなどの放熱対策を採用している。
【０００８】
また、ソースドライバの温度上昇を抑制するために、ソースドライバの消費電力を抑える技術も開発されている。例えば、特許文献１には、ソースドライバが出力する電圧信号の振幅が最大となる表示データを検出し、当該表示データを表示するために最小限必要な電圧を出力するように、ソースドライバの出力電圧を可変する技術が記載されている。
【先行技術文献】
【特許文献】
【０００９】
【特許文献１】特開平１１−１７５０２８号公報（１９９９年７月２日公開）
【発明の概要】
【発明が解決しようとする課題】
【００１０】
上述のように、２倍速駆動もしくは４倍速駆動で処理する液晶モジュールまたは高精細な液晶パネルを有する液晶モジュールでは、動作時にソースドライバ等の温度が非常に高温になるため、上記の放熱対策によって温度上昇を抑制する場合、放熱シート等のコストが非常に大きくなるという問題がある。
【００１１】
また、特許文献１に記載の技術を用いて、最小限必要な電圧を出力するようソースドライバを制御したとしても、２倍速駆動もしくは４倍速駆動で処理する液晶モジュールまたは高精細な液晶パネルを有する液晶モジュールでは、最大駆動電圧に対応する表示データの表示処理による温度上昇によって、ソースドライバが破壊される場合があるという問題がある。
【００１２】
そこで、液晶モジュールの温度上昇の抑制、つまり、液晶モジュールの内部回路の消費電力を低減するために、ソースドライバに供給する電源電圧を恒久的に低下させることも考えられる。上記電源電圧を恒久的に下げてしまうと、輝度の仕様を満たさない虞があり、単純に電源電圧を下げるだけでは上述の問題を解決することができない。
【００１３】
本発明は、上記の問題点に鑑みてなされたものであり、その目的は、液晶モジュールの内部回路の温度上昇を抑制すると共に、表示品質を維持しつつ、液晶モジュールのコストを低減する電力供給装置、液晶モジュールおよび電力供給装置の制御方法を実現することにある。
【課題を解決するための手段】
【００１４】
本発明に係る電力供給装置は、上記課題を解決するために、液晶モジュールにおけるソースドライバに電力を供給する電力供給装置であって、上記ソースドライバに供給する電流の電流値が所定の検出閾値を超えているか否かを検出し、上記電流値が上記検出閾値を超えている間、アクティブレベルの検出信号を生成し、一方、上記電流値が上記検出閾値を下回っている間、非アクティブレベルの検出信号を生成する電流検出手段と、上記電流検出手段の生成した検出信号がアクティブレベルの期間、上記ソースドライバに供給する出力電圧の電圧値を降下させる電圧降下手段とを備えることを特徴としている。
【００１５】
また、本発明に係る電力供給装置の制御方法は、上記課題を解決するために、液晶モジュールにおけるソースドライバに電力を供給する電力供給装置の制御方法であって、上記ソースドライバに供給する電流の電流値が所定の検出閾値を超えているか否かを判定する電流値判定ステップと、上記電流値判定ステップにおいて上記電流値が上記検出閾値を超えていると判定された場合、上記ソースドライバに供給する出力電圧の電圧値を降下させる電圧降下ステップとを含むことを特徴としている。
【００１６】
上記の構成によれば、電力供給装置は、上記ソースドライバに供給する電流の電流値が所定の検出閾値を超えている場合、上記ソースドライバに供給する出力電圧の電圧値を降下させて、上記ソースドライバに電力を供給する。このとき、ソースドライバは、降下した出力電圧に基づいて、液晶パネルを駆動する。
【００１７】
ここで、上記検出閾値を、白ベタ画像表示時などのソースドライバの消費電力が非常に大きくなるときに流れる電流値とする。この場合、電力供給装置が、電流値が検出閾値を超えている場合に出力電圧の電圧値を降下させることにより、ソースドライバが液晶パネルに印加する電圧が低下する。そのため、白ベタ画像表示時等におけるソースドライバの消費電力を抑制することができる。ソースドライバの消費電力を抑制することにより、ソースドライバ等の液晶モジュールの内部回路の温度上昇を抑制することができる。なお、ソースドライバが液晶パネルに印加する電圧が低下するため、輝度も低下するが、白ベタ画像表示等においてはユーザの視聴に対する影響は軽微である。
【００１８】
よって、ソースドライバの電源電圧を供給電流量に応じて変化させることにより、液晶モジュールの内部回路の温度上昇を抑制すると共に、表示品質を維持しつつ、液晶モジュールのコストを低減するという効果を奏する。また、液晶モジュールの内部回路の温度上昇を抑制することができるため、熱による内部回路の破損を防止することができ、液晶モジュールの製品としての信頼性を向上させることができる。
【００１９】
また、本発明に係る電力供給装置は、ある時点において、自身が生成した出力維持信号の出力レベルが非アクティブレベルであり、かつ、上記検出信号が非アクティブレベルからアクティブレベルに遷移した場合、当該ある時点から所定の出力維持時間の期間、出力レベルがアクティブレベルとなる出力維持信号を生成する出力維持手段をさらに備え、
上記電圧降下手段は、上記検出信号および上記出力維持信号の何れかがアクティブレベルの期間、上記ソースドライバに供給する出力電圧の電圧値を降下させることが好ましい。
【００２０】
上記の構成によれば、上記電圧降下手段は、電圧を降下させてない状態において、上記ソースドライバに供給する電流の電流値が所定の検出閾値を超えた場合、少なくとも上記出力維持時間の期間、上記ソースドライバに供給する出力電圧の電圧値を降下した状態を維持する。
【００２１】
そのため、上記ソースドライバに供給する電流の電流値が上記検出閾値近傍で変動する場合、または、当該電流値が周期的に変化する場合等であっても、上記電圧降下手段は、上記ソースドライバに供給する出力電圧の電圧値を頻繁に降下したり、上昇させたりすることがない。よって、ソースドライバの電源電圧を供給電流量に応じて変化させることにより、フリッカ表示が発生することを防ぐことができる。
【００２２】
また、本発明に係る液晶モジュールは、上記電力供給装置と、上記電力供給装置から電力を受給するソースドライバとを備えることが好ましい。
【００２３】
上記の構成によれば、上記液晶モジュールは、上記電力供給装置と同様の効果を奏する。
【００２４】
また、上記液晶モジュールを備えるテレビジョン受像機も本発明の範疇に含まれる。
【発明の効果】
【００２５】
以上のように、本発明に係る電力供給装置は、上記ソースドライバに供給する電流の電流値が所定の検出閾値を超えているか否かを検出し、上記電流値が上記検出閾値を超えている間、アクティブレベルの検出信号を生成し、一方、上記電流値が上記検出閾値を下回っている間、非アクティブレベルの検出信号を生成する電流検出手段と、上記電流検出手段の生成した検出信号がアクティブレベルの期間、上記ソースドライバに供給する出力電圧の電圧値を降下させる電圧降下手段とを備えている構成である。
【００２６】
また、本発明に係る電力供給装置の制御方法は、上記ソースドライバに供給する電流の電流値が所定の検出閾値を超えているか否かを判定する電流値判定ステップと、上記電流値判定ステップにおいて上記電流値が上記検出閾値を超えていると判定された場合、上記ソースドライバに供給する出力電圧の電圧値を降下させる電圧降下ステップとを含む。
【００２７】
したがって、ソースドライバの電源電圧を供給電流量に応じて変化させることにより、液晶モジュールの内部回路の温度上昇を抑制すると共に、表示品質を維持しつつ、液晶モジュールのコストを低減するという効果を奏する。また、液晶モジュールの内部回路の温度上昇を抑制することができるため、熱による内部回路の破損を防止することができ、液晶モジュールの製品としての信頼性を向上させることができる。
【図面の簡単な説明】
【００２８】
【図１】本発明の第１の実施形態を示すものであり、液晶モジュールの要部構成を示すブロック図である。
【図２】上記液晶モジュールに含まれるソースドライバが液晶パネルに印加する電圧と、液晶パネルが出力する階調値との対応関係の一例を示す図である。
【図３】上記液晶パネルが出力する階調値と、上記液晶パネルが出力する輝度値との対応関係の一例を示す図である。
【図４】上記液晶パネルが白ベタ画像を表示する際に、上記ソースドライバが液晶パネルに印加する電圧の出力波形の一例を示す図である。
【図５】上記液晶モジュールに含まれる電流検出回路の出力波形の一例を示す図である。
【図６】上記電流検出回路の具体的な構成の一例を示す図である。
【図７】上記電流検出回路の具体的な構成の他の一例を示す図である。
【図８】上記液晶モジュールに含まれる電圧切替制御回路の具体的な構成の一例を示す図である。
【図９】上記電圧切替制御回路の具体的な構成の他の一例を示す図である。
【図１０】上記液晶モジュールに含まれるソースドライバ用電力供給装置が実行する処理の一例を示すフローチャートである。
【図１１】本発明の第２の実施形態を示すものであり、液晶モジュールの要部構成を示すブロック図である。
【図１２】上記液晶モジュールに含まれるタイマ回路の具体的な構成の一例を示す図である。
【図１３】第１の実施形態に係る液晶モジュールに含まれる電流検出回路の出力波形の一例を示す図である。
【図１４】上記タイマ回路の出力波形の一例を示す図である。
【図１５】上記タイマ回路の出力波形の他の一例を示す図である。
【図１６】第２の実施形態に係る液晶モジュールに含まれるソースドライバ用電力供給装置が実行する処理の一例を示すフローチャートである。
【図１７】従来技術を示すものであり、液晶モジュールの要部構成を示すブロック図である。
【発明を実施するための形態】
【００２９】
＜本発明の概要＞
ノーマリーブラック方式の液晶パネルでは、白ベタ画像表示時にソースドライバが液晶パネルに印加する電圧が最大となる。すなわち、ノーマリーブラック方式の液晶パネルでは、白ベタ画像表示時に消費電力が最大になり、ソースドライバ等の温度上昇も最大となる。２倍速駆動もしくは４倍速駆動で処理する液晶モジュールまたは高精細な液晶パネルを有する液晶モジュールでは、白ベタ画像表示時に、ソースドライバ等が熱により破壊される虞がある。
【００３０】
テレビ放送等の一般的な映像では、白ベタ画像が長時間連続するケースは少ないと考えられる。また、白ベタ画像を表示する場合、多少輝度を低下させて表示したとしても映像の表示品質にほとんど影響がないと考えられる。
【００３１】
そこで、本発明では、恒久的にソースドライバに供給する電圧（ソース電圧）を下げることはせずに、発熱が問題となる白ベタ画像表示時などに限定してソース電圧を下げることとする。具体的には、ソースドライバ用電源ラインに白ベタ画像の表示データに相当する電流が流れたことを検出する電流検出回路を挿入し、電圧切替制御回路が電流検出回路の出力に基づいて、ソースドライバ用電源回路の出力電圧を降下させる。
【００３２】
このように、ソースドライバの電源電圧を供給電流量に応じて変化させることにより、液晶モジュールの内部回路の温度上昇を抑制すると共に、表示品質を維持しつつ、液晶モジュールのコストを低減することができる。また、液晶モジュールの内部回路の温度上昇を抑制することができるため、熱による内部回路の破損を防止することができ、液晶モジュールの製品としての信頼性を向上させることができる。
【００３３】
以下に、本発明の液晶モジュールの具体的な実施形態を図面に基づいて説明する。なお、現在一般的な液晶表示装置に採用されている液晶パネルはノーマリーブラック方式であるため、以下では、液晶モジュールが有する液晶パネルはノーマリーブラック方式であるとするがこれに限るものではない。液晶モジュールが有する液晶パネルはノーマリーホワイト方式であってもよい。
【００３４】
＜第１の実施形態＞
本発明の第１の実施形態について図１から図１０に基づいて説明すると以下の通りである。
【００３５】
〔液晶モジュールの構成〕
第１の実施形態に係る液晶モジュールの構成を図１に基づいて説明する。図示のように、液晶モジュール１は、液晶パネル２、ソースドライバ３、ゲートドライバ４、ゲートドライバ用ＶＧｏｎ電源回路５、ゲートドライバ用ＶＧｏｆｆ電源回路６およびソースドライバ用電力供給装置１０を備える。液晶モジュール１は、その他、光源（バックライト）等の部材を備えていてよいが、発明の特徴とは関係が無いため説明を省略する。
【００３６】
なお、本発明に係る液晶モジュールは、例えば、テレビジョン受像機等の表示装置に搭載されるものである。
【００３７】
液晶パネル２は、液晶分子が透明電極を有するガラス基板には挟まれているものである。液晶パネル２は、透明電極に印加された電圧によって液晶分子の向きを変えて、光の透過率を制御して画像を表示するものである。
【００３８】
液晶パネル２のガラス基板上に、走査線（ゲート線）およびデータ線（ソース線）が縦横の２次元的に配線されており、走査線とデータ線との交点に透明電極が配置されている。また、ガラス基板上には、透明電極に対応するサブ画素が格子状に配置されている。
【００３９】
本実施形態における液晶パネル２は、アクティブマトリクス駆動方式により動作するものであり、各画素に薄膜トランジスタ（ＴＦＴ）等のアクティブ素子が設けられている。つまり、走査線から印加された電圧によりアクティブ素子が「ＯＮ」状態となり、データ線に印加された電圧に応じた電荷が蓄積される。
【００４０】
ただし、液晶パネル２は上記のものに限るものではない。液晶パネル２は、後述のように、データ線から印加される電圧に応じて、表示する画像の階調値が変化するものであればどのようなものであってもよい。
【００４１】
ソースドライバ３は、液晶パネル２を駆動する回路またはＩＣであり、ソースドライバ用電力供給装置１０から供給される電力に基づいて、データ線を通じてサブ画素に電圧を印加するものである。具体的には、ソースドライバ３は、不図示のタイミングコントローラの指示に従って、外部から受信した映像信号に応じて階調化した電圧を各データ線に印加する。
【００４２】
液晶モジュール１は、ソースドライバ３を１または複数備えており、図１に示す例では、液晶モジュール１がソースドライバ３をＭ（Ｍは任意の自然数）個備えている。また、ソースドライバ３は、１または複数のデータ線と接続されている。
【００４３】
ゲートドライバ４は、液晶パネル２を駆動する回路またはＩＣであり、ゲートドライバ用ＶＧｏｎ電源回路５およびゲートドライバ用ＶＧｏｆｆ電源回路６から供給される電力に基づいて、走査線を走査するものである。具体的には、ゲートドライバ４は、不図示のタイミングコントローラの指示に従って、ゲートドライバ用ＶＧｏｎ電源回路５から供給される電力に基づいて、走査線を通じてアクティブ素子に電圧を印加して「ＯＮ」状態にしたり、ゲートドライバ用ＶＧｏｆｆ電源回路６から供給される電力に基づいて、走査線を通じてアクティブ素子に電圧を印加して「ＯＦＦ」状態にしたりするものである。
【００４４】
液晶モジュール１は、ゲートドライバ４を１または複数備えており、図１に示す例では、液晶モジュール１がゲートドライバ４をＮ（Ｎは任意の自然数）個備えている。また、ゲートドライバ４は、１または複数の走査線と接続されている。
【００４５】
ゲートドライバ用ＶＧｏｎ電源回路５は、アクティブ素子を「ＯＮ」状態にするための電力をゲートドライバ４に供給するものである。
【００４６】
ゲートドライバ用ＶＧｏｆｆ電源回路６は、アクティブ素子を「ＯＦＦ」状態にするための電力をゲートドライバ４に供給するものである。
【００４７】
ソースドライバ用電力供給装置１０は、設定したソースドライバ駆動電圧でソースドライバ３に電力を供給するものである。ここで、ソースドライバ用電力供給装置１０が設定したソースドライバ駆動電圧の電圧値をＡＶＤＤ（単位はボルト（Ｖ））とする。すなわち、ソースドライバ用電力供給装置１０の出力電圧の電圧値をＡＶＤＤとする。初期設定では、ＡＶＤＤは１５．６Ｖとする。ＡＶＤＤの値は、任意の値でよく、液晶パネル２、ソースドライバ３等の特性に基づいて適宜設定することができる。
【００４８】
（ソースドライバ用電力供給装置が供給する電流量と、液晶パネルが表示する画像との関係について）
次に、ソースドライバ用電力供給装置１０が供給する電流量が、液晶パネル２が表示する画像（映像）によって変化するメカニズムを図２〜図４に基づいて説明する。ここでは、上述のように、液晶パネル２がノーマリーブラック方式であり、ソースドライバ３がドット反転駆動方式で電圧を印加するものとする。また、ソースドライバ用電力供給装置１０の出力電圧ＡＶＤＤは、初期設定値の１５．６Ｖであるとする。
【００４９】
ソースドライバ３は液晶パネル２内に作り込まれた画素電極に電荷を供給して充電する。ソースドライバ３が画素電極に印加する電圧Ｖｌｃと、液晶パネル２が出力（表示）する階調値との対応関係例を図２に示す。図２では、縦軸を電圧値（Ｖ）とし、横軸を階調値とする。図２に示すように、ソースドライバ３が画素電極に印加する電圧Ｖｌｃと中間電圧ＨＶＤＤとの差分の絶対値が大きいほど、階調値が上がる。
【００５０】
ここで、図２に示すＶＨ０およびＶＬ０は階調値「０」に対応する電圧値であり、ＶＨ２５５およびＶＬ２５５は階調値「２５５」に対応する電圧値である。
【００５１】
なお、ソースドライバ３は、図示しない制御回路より供給される映像信号の各階調値（デジタル値）を参照し、ソースドライバ用電力供給装置１０が出力する電圧値の範囲内で各階調値に応じた電圧値（アナログ値）を設定する。
【００５２】
具体的には、ソースドライバ３は、基準電圧ＶＲＥＦを変数とする関数であって、階調値と電圧値との関係を示す関数に基づいて、基準電圧ＶＲＥＦに対応するＶＬ２５５〜ＶＨ２５５の電圧値を出力するＤＡコンバータとしての機能を有する。また、ソースドライバ３は、上記関数の代わりに、基準電圧ＶＲＥＦごとに定められた、階調値と電圧値との関係を示すテーブル等を用いて、基準電圧ＶＲＥＦに対応するＶＬ２５５〜ＶＨ２５５の電圧値を特定する機能を有するものと表現してもよい。例えば、ソースドライバ３は、基準電圧ＶＲＥＦの９７％の値をＶＨ２５５として出力し、基準電圧ＶＲＥＦの１％の値をＶＬ２５５として出力し、ＶＲＥＦと正の相関を有するＶＬ２５５〜ＶＨ２５５の各電圧値を出力する構成とすることができる。
【００５３】
ここで、階調電圧の基準電圧ＶＲＥＦは、外付けのＤＡＣ−ＩＣまたは抵抗分圧回路等の基準電圧生成回路（不図示）が、ソースドライバ用電力供給装置１０の出力電圧ＡＶＤＤに基づいて生成するものである。基準電圧生成回路は、入力されるＡＶＤＤの電圧値が下がると、生成する基準電圧ＶＲＥＦの電圧値を下げる。
【００５４】
すなわち、ソースドライバ用電力供給装置１０の出力電圧ＡＶＤＤと、ソースドライバ３の出力電圧Ｖｌｃ（ＶＬ２５５〜ＶＨ２５５）とは、間接的に依存しており、ソースドライバ用電力供給装置１０の出力電圧ＡＶＤＤの電圧降下と同調して、ソースドライバ３の出力電圧Ｖｌｃ（ＶＬ２５５〜ＶＨ２５５）の電圧値も降下する。
【００５５】
なお、階調電圧の基準電圧ＶＲＥＦをソースドライバ３の電源電圧（ソースドライバ用電力供給装置１０の供給電圧）から降圧レギュレータを用いて生成する場合、ソースドライバ用電力供給装置１０と同様に、降圧レギュレータに電圧切替制御回路を設けることが好ましい。このことにより、ソースドライバ３に供給される電源電圧の降下に連動して階調電圧を下げることができ、階調異常を抑えることができる。
【００５６】
また、液晶パネル２が出力する階調値が上がると共に、液晶パネル２の出力する輝度値も上昇する。この両者の対応関係例を図３に示す。図３では、縦軸を輝度値とし、横軸を階調値とする。
【００５７】
ここで、液晶パネル２に白ベタ画像を表示させる場合、ソースドライバ３は、全ての画素（絵素）のキャパシタに対して階調値２５５に対応する電圧値ＶＨ２５５およびＶＬ２５５を交互に印加する。このときのソースドライバ３が液晶パネル２に印加する電圧値Ｖｌｃの波形例を図４に示す。
【００５８】
このように、全ての画素の画素電極に対して、中間電圧ＨＶＤＤに対して最大電圧差となるＶＬ２５５およびＶＨ２５５で充放電を繰り返した場合、ソースドライバ３の消費電力が最大となる。ソースドライバ３が液晶パネル２に供給する電力が増大するということは、その電力をソースドライバ３に供給するソースドライバ用電力供給装置１０から出力される電流が増加することを意味する。換言すると、ソースドライバ用電力供給装置１０の供給電流の増加に応じて、ソースドライバ３の消費電力も増加する。
【００５９】
そのため、ソースドライバ用電力供給装置１０が供給する電流の電流値を検出し、供給電流が所定値以上であれば、ソースドライバ用電力供給装置１０の出力電圧ＡＶＤＤを下げることにより、ソースドライバ用電力供給装置１０の出力電圧ＡＶＤＤに連動するＶＨ２５５を下げることができる。よって、ソースドライバ３の消費電力を下げることができる。
【００６０】
〔ソースドライバ用電力供給装置の構成〕
次に、ソースドライバ用電力供給装置の詳細な構成および機能について説明する。ソースドライバ用電力供給装置１０は、図１に示すように、ソースドライバ用ＡＶＤＤ電源回路７、電流検出回路（電流検出手段）８および電圧切替制御回路（電圧降下手段）９を備える。
【００６１】
ソースドライバ用ＡＶＤＤ電源回路７は、液晶モジュール１に入力される入力電圧ＶＩＮから、所定の電圧を生成し、生成した電圧でソースドライバ３に電流を供給するものである。なお、本実施形態では、ソースドライバ用ＡＶＤＤ電源回路７は、電圧値を１５．６Ｖとして電圧を生成するものとする。
【００６２】
電流検出回路８は、ソースドライバ用ＡＶＤＤ電源回路７の出力電流が所定の電流値（検出閾値）以上であるか否かを検出し、その検出結果に基づいて出力信号のレベルを遷移させるものである。電流検出回路８は、ソースドライバ用ＡＶＤＤ電源回路７とソースドライバ３との間の経路上に配置されている。また、電流検出回路８の出力信号は、電圧切替制御回路９に入力される。ここで、電流検出回路８の出力信号を検出回路出力信号（検出信号）と称する。
【００６３】
電流検出回路８の出力波形を図５に基づいて説明する。図５は、電流検出回路８の出力波形の一例を示す図である。図５に示すように、ソースドライバ用ＡＶＤＤ電源回路７の出力電流が検出レベル（検出閾値）を超えると、電流検出回路８の出力レベルがＨｉｇｈレベルからＬｏｗレベルに遷移する。また、ソースドライバ用ＡＶＤＤ電源回路７の出力電流が検出レベル（検出閾値）を下回ると、電流検出回路８の出力レベルがＬｏｗレベルからＨｉｇｈレベルに遷移する。
【００６４】
なお、図５に示す例では、電流検出回路８は、ソースドライバ用ＡＶＤＤ電源回路７の出力電流が検出レベル（検出閾値）を超えたときに、出力レベルをＨｉｇｈレベルからＬｏｗレベルに遷移させているが、これに限るものではない。電流検出回路８は、ソースドライバ用ＡＶＤＤ電源回路７の出力電流が検出レベル（検出閾値）を超えたときに、出力レベルをＬｏｗレベルからＨｉｇｈレベルに遷移させてもよい。
【００６５】
また、検出閾値は、液晶パネル２やソースドライバ３等の液晶モジュール１の特性に基づいて、ソースドライバ３等が発熱によって破損しない程度の電流値に適宜設定すればよい。
【００６６】
電流検出回路８の具体的な構成を図６および図７に基づいて説明する。図６および図７は、電流検出回路８の具体的な構成の一例を示す図である。
【００６７】
まず、図６に示す例では、電流検出回路８は、抵抗器２１および比較器２２から構成される。抵抗器２１は、ソースドライバ用ＡＶＤＤ電源回路７とソースドライバ３との間の経路上に配置されている。比較器２２の２つの入力端子は、それぞれ、抵抗器２１の両端に接続されており、抵抗器２１の両端の電位差が比較器２２の入力値となる。比較器２２の出力端子は、電圧切替制御回路９と接続している。比較器２２は、入力値が所定の検出閾値を超えると、出力レベルをアクティブレベルに遷移して出力する。
【００６８】
具体的には、抵抗器２１を流れる電流が大きくなると、抵抗器２１の両端の電位差が大きくなる。抵抗器２１にある一定以上の電流が流れると、比較器２２への入力値が検出閾値を超え、比較器２２が出力レベルをアクティブレベルに遷移して出力する。
【００６９】
次に、図７に示す例では、電流検出回路８は、抵抗器２３、比較器２４、抵抗器２５および抵抗器２６から構成される。抵抗器２３は、ソースドライバ用ＡＶＤＤ電源回路７とソースドライバ３との間の経路上に配置されている。抵抗器２５は、一端がＡＶＤＤより高い電圧である基準電圧を出力する電源（不図示）と接続されており、他端は抵抗器２６と接続されている。抵抗器２６は、一端が抵抗器２５と接続されており、他端はグランドに接地されている。比較器２４の入力端子の一端は、抵抗器２３のソースドライバ３側の端子と接続されている。また、比較器２４の入力端子の他端は、抵抗器２５と抵抗器２６との間に接続されており、基準電圧を抵抗分圧した電圧値が入力される。比較器２４は、抵抗器２３のソースドライバ３側の電位が、抵抗器２５と抵抗器２６との間の電位を下回ると、出力レベルをアクティブレベルに遷移して出力する。
【００７０】
ここで、基準電圧を抵抗分圧した電圧値（抵抗器２５と抵抗器２６との間の電位）を、ＡＶＤＤより低い値になるように基準電圧の電圧値並びに抵抗器２５および２６の抵抗値を適宜設定する。
【００７１】
このとき、抵抗器２３に流れる電流が少ない場合は、抵抗器２３のソースドライバ３側の電位が、抵抗器２５と抵抗器２６との間の電位を上回っているため、比較器２４は出力レベルを非アクティブレベルのまま出力する。一方、抵抗器２３に流れる電流が増加し、ある一定以上の電流が流れた場合、抵抗器２３のソースドライバ３側の電位が、抵抗器２５と抵抗器２６との間の電位を下回り、比較器２４は出力レベルをアクティブレベルに遷移して出力する。
【００７２】
電圧切替制御回路９は、電流検出回路８から入力された検出回路出力信号（切替信号）に基づいて、ソースドライバ用ＡＶＤＤ電源回路７の出力電圧の電圧値を制御するものである。具体的には、電圧切替制御回路９は、電流検出回路８からアクティブレベルの検出回路出力信号を受信すると、ソースドライバ用ＡＶＤＤ電源回路７の出力電圧を低下させる。また、電圧切替制御回路９は、電流検出回路８から非アクティブレベルの検出回路出力信号を受信すると、ソースドライバ用ＡＶＤＤ電源回路７の出力電圧を上昇させる（元の電圧値に戻す）。
【００７３】
なお、電圧切替制御回路９に入力される信号を切替信号と称する。すなわち、第１の実施形態においては、検出回路出力信号が切替信号である。
【００７４】
電圧切替制御回路９の具体的な構成を図８および図９に基づいて説明する。図８および図９は、電圧切替制御回路９の具体的な構成の一例を示す図である。図８および図９では、電圧の切り替え方法として、ソースドライバ用ＡＶＤＤ電源回路７に対するフィードバック電圧を変化させる方法を示す。
【００７５】
まず、図８に示す例では、電圧切替制御回路９は、抵抗器３１、３２および３３と、切替スイッチ３４から構成される。抵抗器３１は、一端がソースドライバ用ＡＶＤＤ電源回路７の出力端子に接続されており、他端が抵抗器３２および抵抗器３３と接続されている。抵抗器３２は、一端が抵抗器３１および抵抗器３３と接続されており、他端がグランドに接地されている。抵抗器３３は、一端が抵抗器３１および抵抗器３２と接続されており、他端が切替スイッチ３４に接続されている。なお、抵抗器３１、３２および３３の抵抗値を、それぞれ、Ｒ１、Ｒ２、Ｒ３とする。
【００７６】
切替スイッチ３４は、一端が抵抗器３３と接続さており、他端がグランドに接地されている。また、抵抗器３１と、抵抗器３２と、抵抗器３３との間には、ソースドライバ用ＡＶＤＤ電源回路７のフィードバック入力端子が接続されている。なお、切替スイッチ３４は、ここでは、切替信号がアクティブレベルの場合に切断し（スイッチをＯＦＦにし）、切替信号が非アクティブレベルの場合に導通する（スイッチをＯＮにする）ものとする。
【００７７】
ここで、電圧切替制御回路９からソースドライバ用ＡＶＤＤ電源回路７に入力されるフィードバック電圧をＶＦＢとすると、電圧切替制御回路９にアクティブレベルの切替信号が入力されると、ソースドライバ用ＡＶＤＤ電源回路７が出力する電圧ＡＶＤＤ（ｏｎ）は、
AVDD=VFB*(R1+R2)/R2=AVDD(on)      （式１）
上記（式１）となる。
【００７８】
一方、電圧切替制御回路９に非アクティブレベルの切替信号が入力された場合、抵抗器３２および３３の合成抵抗値Ｒｐは、
Rp=R2*R3/(R2+R3)              （式２）
上記（式２）となる。このとき、ソースドライバ用ＡＶＤＤ電源回路７が出力する電圧ＡＶＤＤ（ｏｆｆ）は、
AVDD=VFB*(R1+Rp)/Rp=AVDD(off)      （式３）
上記（式３）となる。
【００７９】
このとき、ＡＶＤＤ（ｏｎ）＜ＡＶＤＤ（ｏｆｆ）となる。そのため、電圧切替制御回路９が生成したフィードバック電圧ＶＦＢをソースドライバ用ＡＶＤＤ電源回路７へ入力することにより、電圧切替制御回路９は、アクティブレベルの切替信号を受信すると、ソースドライバ用ＡＶＤＤ電源回路７の出力電圧を初期値（ＡＶＤＤ（ｏｆｆ））からＡＶＤＤ（ｏｎ）に降下させることができる。
【００８０】
次に、切替スイッチ３４の代わりに、ＮチャネルのＦＥＴ（Field-Effect Transistor）３５をスイッチとして用いた例を図９に示す。この場合、ＦＥＴ３５のゲート端子に閾値を超える電圧が印加されるとスイッチがオンし、ＧＮＤレベルの電圧が印加されるとスイッチはオフする。すなわち、切替スイッチ３４と同様に、ＦＥＴ３５は、切替信号がアクティブレベルの場合に切断し（スイッチをＯＦＦにし）、切替信号が非アクティブレベルの場合に導通する（スイッチをＯＮにする）。
【００８１】
〔ソースドライバ用電力供給装置の処理〕
次に、ソースドライバ用電力供給装置１０が実行する処理について図１０に基づいて説明する。図１０は、ソースドライバ用電力供給装置１０が実行する処理の一例を示すフローチャートである。
【００８２】
図１０に示すように、電流検出回路８は、ソースドライバ用ＡＶＤＤ電源回路７からソースドライバ３に供給される電流の電流値が検出閾値を超えているか否かを検出する（Ｓ１）。ここで、ソースドライバ用ＡＶＤＤ電源回路７の出力電流が検出閾値を超えている場合（Ｓ１でＹＥＳ）、電流検出回路８は出力レベルをアクティブレベルとして電圧切替制御回路９に検出回路出力信号を出力する。
【００８３】
電圧切替制御回路９は、電流検出回路８からアクティブレベルの検出回路出力信号を受信すると、ソースドライバ用ＡＶＤＤ電源回路７の出力電圧の電圧値を低下させる（Ｓ２）。これにより、ソースドライバ用電力供給装置１０は、初期値より所定の値低下した電圧値を出力電圧として、ソースドライバ３に電力を供給する。
【００８４】
一方、ソースドライバ用ＡＶＤＤ電源回路７の出力電流が検出閾値を超えていない場合（Ｓ１でＮＯ）、電流検出回路８は出力レベルを非アクティブレベルとして電圧切替制御回路９に検出回路出力信号を出力する。
【００８５】
ここで、電圧切替制御回路９がソースドライバ用ＡＶＤＤ電源回路７の出力電圧の電圧値を低下させていた場合（Ｓ３でＹＥＳ）、電圧切替制御回路９は、電流検出回路８から受信した非アクティブレベルの検出回路出力信号に基づいて、ソースドライバ用ＡＶＤＤ電源回路７の出力電圧を上昇させる、すなわち、元の電圧値に戻す。これにより、ソースドライバ用電力供給装置１０は、初期設定の電圧値を出力電圧として、ソースドライバ３に電力を供給する。
【００８６】
なお、ソースドライバ用ＡＶＤＤ電源回路７の出力電流が検出閾値を超えておらず（Ｓ１でＮＯ）、電圧切替制御回路９がソースドライバ用ＡＶＤＤ電源回路７の出力電圧の電圧値を低下させていない場合（Ｓ３でＮＯ）、電圧切替制御回路９は、電流検出回路８から非アクティブレベルの検出回路出力信号を受信して、ソースドライバ用ＡＶＤＤ電源回路７の出力電圧の電圧値を初期値のまま維持する。
【００８７】
＜第２の実施形態＞
本発明の第２の実施形態について図１１から図１６に基づいて説明すれば、以下のとおりである。なお、説明の便宜上、前記の第１の実施形態において示した部材と同一の機能を有する部材には、同一の符号を付し、その説明を省略する。
【００８８】
第１の実施形態に係る液晶モジュール１では、電流値が検出閾値を超えているか否かに応じて出力電圧を上下しているため、電流値が検出閾値近傍で変動する場合、または、電流値が周期的に変化する場合などでは、出力電圧の降下、上昇が頻繁に発生する可能性がある。この場合、画面がチカチカする、いわゆるフリッカ表示となり、ユーザーに不快感をもたらすことになる。
【００８９】
そこで、第２の実施形態に係る液晶モジュールは、このような事態を回避するために、一旦出力電圧を降下した場合は一定期間その状態を維持する。具体的には、第２の実施形態に係る液晶モジュール１ａは、第１の実施形態に係る液晶モジュール１のソースドライバ用電力供給装置１０に代えて、ソースドライバ用電力供給装置１０ａを備える。第２の実施形態に係る液晶モジュールは、その他の構成は、第１の実施形態に係る液晶モジュール１と同じである。
【００９０】
ソースドライバ用電力供給装置１０ａを備えることにより、フリッカを発生させないようにすることができる。以下、ソースドライバ用電力供給装置１０ａの構成および機能について詳細に説明する。
【００９１】
〔ソースドライバ用電力供給装置の構成〕
ソースドライバ用電力供給装置１０ａは、図１１に示すように、ソースドライバ用ＡＶＤＤ電源回路７、電流検出回路８ａ、電圧切替制御回路９ａおよびタイマ回路（出力維持手段）１１を備える。
【００９２】
電流検出回路８ａは、タイマ回路１１に検出回路出力信号を出力する点が第１の実施形態の電流検出回路８と異なるだけであり、その他の機能および処理は第１の実施形態の電流検出回路８と同じである。
【００９３】
電圧切替制御回路９ａは、タイマ回路１１からタイマ回路出力信号（切替信号）を受信する点が第１の実施形態の電圧切替制御回路９と異なるだけであり、その他の機能および処理は第１の実施形態の電圧切替制御回路９と同じである。なお、第２の実施形態においては、タイマ回路出力信号が切替信号である。
【００９４】
タイマ回路１１は、現時点で、自身が生成するカウンタ出力信号の出力レベルが非アクティブレベルの場合に、非アクティブレベルからアクティブレベルに遷移する検出回路出力信号を電流検出回路８ａから受信した場合、所定の出力維持時間Ｔの期間、出力レベルがアクティブレベルとなるカウンタ出力信号を生成するものである。また、タイマ回路１１は、電流検出回路８ａから受信した検出回路出力信号と、生成したカウンタ出力信号との論理積を取ってタイマ回路出力信号（出力維持信号）を生成し、生成したタイマ回路出力信号を電圧切替制御回路９ａに出力する。
【００９５】
タイマ回路１１の具体的な構成を図１２に基づいて説明する。図１２は、タイマ回路１１の具体的な構成の一例を示す図である。図１２に示すように、タイマ回路１１は、発振器４１、カウンタ４２およびＡＮＤ回路４３から構成される。
【００９６】
発振器４１は、所定の周波数の出力信号を生成し、カウンタ４２に出力するものである。
【００９７】
カウンタ４２は、現時点で、自身が出力するカウンタ出力信号の出力レベルが非アクティブレベルの場合に、非アクティブレベルからアクティブレベルに遷移する検出回路出力信号を電流検出回路８ａから受信した場合、アクティブレベルのカウンタ出力信号を出力するものである。また、カウンタ４２は、発振器４１からの入力に基づいて、アクティブレベルのカウンタ出力信号を出力してから、出力維持時間Ｔを計測し、出力維持時間Ｔの期間、アクティブレベルの出力を維持し、出力維持時間Ｔが経過すると、出力レベルを遷移し、非アクティブレベルのカウンタ出力信号を出力する。また、カウンタ４２は、生成したカウンタ出力信号をＡＮＤ回路４３に出力する。
【００９８】
ＡＮＤ回路４３は、電流検出回路８ａから受信した検出回路出力信号と、カウンタ４２が生成したカウンタ出力信号との論理積を取ってタイマ回路出力信号を生成し、生成したタイマ回路出力信号を電圧切替制御回路９ａに出力する。すなわち、ＡＮＤ回路４３は、検出回路出力信号またはカウンタ出力信号の何れかの出力レベルがアクティブレベルの場合、アクティブレベルのタイマ回路出力信号を出力し、検出回路出力信号およびカウンタ出力信号の出力レベルが非アクティブレベルの場合に、非アクティブレベルのタイマ回路出力信号を出力する。
【００９９】
次に、タイマ回路１１の出力波形を図１３〜図１５に基づいて説明する。図１３は、第１の実施形態に係る液晶モジュール１の電流検出回路８の出力波形の一例を示す図である。また、図１４および図１５は、タイマ回路１１の出力波形の一例を示す図である。
【０１００】
図１３に示すように、第１の実施形態に係る液晶モジュール１では、ソースドライバ用ＡＶＤＤ電源回路７の出力電流が検出レベル（検出閾値）を超える度に、電流検出回路８の出力レベルがＨｉｇｈレベルからＬｏｗレベルに遷移し、ソースドライバ用ＡＶＤＤ電源回路７の出力電流が検出レベル（検出閾値）を下回る度に、電流検出回路８の出力レベルがＬｏｗレベルからＨｉｇｈレベルに遷移する。
【０１０１】
このように、ソースドライバ用ＡＶＤＤ電源回路７の出力電流が頻繁に検出レベルを上下した場合、電流検出回路８の出力も頻繁に遷移するため、ソースドライバ用電力供給装置１０の出力電圧が頻繁に変化する。ソースドライバ３へ供給される出力電圧が頻繁に変化することにより、液晶パネル２が出力する輝度も頻繁に変化するため、ユーザーには画面がちらついているように見える。
【０１０２】
一方、図１４に示すように、第２の実施形態に係る液晶モジュール１ａでは、カウンタ４２が電流検出回路８の出力の最初の立ち上がり時から出力維持時間Ｔの期間、アクティブレベルのカウンタ出力信号を出力するため、タイマ回路１１が電圧切替制御回路９ａに、電流検出回路８の出力の最初の立ち上がり時から出力維持時間Ｔの期間アクティブレベルとなるタイマ回路出力信号を出力する。
【０１０３】
よって、第２の実施形態に係る液晶モジュール１ａでは、ソースドライバ用ＡＶＤＤ電源回路７の出力電流が頻繁に検出レベルを上下することにより、電流検出回路８の出力が頻繁に遷移した場合であっても、電流検出回路８の出力の最初の立ち上がり時から、少なくとも出力維持時間Ｔの期間、ソースドライバ用ＡＶＤＤ電源回路７の出力電圧の電圧降下が維持されるため、フリッカ表示の発生を抑制することができる。
【０１０４】
また、ＡＮＤ回路４３が検出回路出力信号およびカウンタ出力信号の論理積をタイマ回路出力信号としているため、図１５に示すように、出力維持時間Ｔ経過時に電流検出回路８の出力がアクティブレベルであれば、出力維持時間Ｔ経過後における電流検出回路８の出力の立ち下がり時まで、タイマ回路出力信号の出力レベルがアクティブレベルに維持される。
【０１０５】
〔ソースドライバ用電力供給装置の処理〕
次に、ソースドライバ用電力供給装置１０ａが実行する処理について図１６に基づいて説明する。図１６は、ソースドライバ用電力供給装置１０ａが実行する処理の一例を示すフローチャートである。
【０１０６】
図１６に示すように、電流検出回路８は、ソースドライバ用ＡＶＤＤ電源回路７からソースドライバ３に供給される電流の電流値が検出閾値を超えているか否かを検出する（Ｓ１１）。ここで、ソースドライバ用ＡＶＤＤ電源回路７の出力電流が検出閾値を超えている場合（Ｓ１１でＹＥＳ）、電流検出回路８は、出力電流が検出閾値を超えている期間、出力レベルをアクティブレベルとしてタイマ回路１１に検出回路出力信号を生成する（Ｓ１２）。一方、ソースドライバ用ＡＶＤＤ電源回路７の出力電流が検出閾値を超えていない場合（Ｓ１１でＮＯ）、電流検出回路８は、出力電流が検出閾値を超えていない期間、出力レベルを非アクティブレベルとしてタイマ回路１１に検出回路出力信号を生成する（Ｓ１３）。電流検出回路８は、生成した検出回路出力信号をタイマ回路１１のカウンタ４２に出力する。
【０１０７】
カウンタ４２は、電流検出回路８からアクティブレベルの検出回路出力信号を受信すると、自身が出力するカウンタ出力信号の出力レベルが非アクティブレベルであり、かつ、受信した検出回路出力信号が現時点で非アクティブレベルからアクティブレベルに遷移するものであるか否かを判定する（Ｓ１４）。カウンタ４２は、カウンタ出力信号が非アクティブレベルであり、かつ、検出回路出力信号が現時点で非アクティブレベルからアクティブレベルに遷移するものである場合（Ｓ１４でＹＥＳ）、現時点より出力維持時間Ｔの期間、アクティブレベルとするカウンタ出力信号を生成する（Ｓ１５）。カウンタ４２は、生成したカウンタ出力信号をＡＮＤ回路４３に出力する。
【０１０８】
ＡＮＤ回路４３は、検出回路出力信号またはカウンタ出力信号の何れかの出力レベルがアクティブレベルか否かを判定する（Ｓ１６）。ＡＮＤ回路４３は、検出回路出力信号またはカウンタ出力信号の何れかの出力レベルがアクティブレベルの場合（Ｓ１６でＹＥＳ）、アクティブレベルのタイマ回路出力信号を電圧切替制御回路９ａに出力する。
【０１０９】
電圧切替制御回路９ａは、ＡＮＤ回路４３からアクティブレベルのタイマ回路出力信号（切替信号）を受信すると、ソースドライバ用ＡＶＤＤ電源回路７の出力電圧の電圧値を低下させた電圧降下状態にする（Ｓ１７）。すなわち、ソースドライバ用ＡＶＤＤ電源回路７の出力電圧の電圧値が初期値である初期状態の場合、電圧切替制御回路９ａは、ソースドライバ用ＡＶＤＤ電源回路７の出力電圧の電圧値を低下させる。また、ソースドライバ用ＡＶＤＤ電源回路７の出力電圧が電圧降下状態であれば、電圧降下状態を維持する。
【０１１０】
ソースドライバ用ＡＶＤＤ電源回路７の出力電圧を電圧降下状態とすることにより、ソースドライバ用電力供給装置１０は、初期値より所定の値低下した電圧値を出力電圧として、ソースドライバ３に電力を供給する。
【０１１１】
一方、ＡＮＤ回路４３は、検出回路出力信号およびカウンタ出力信号の出力レベルが非アクティブレベルの場合に（Ｓ１６でＮＯ）、非アクティブレベルのタイマ回路出力信号を電圧切替制御回路９ａに出力する。
【０１１２】
電圧切替制御回路９ａは、ＡＮＤ回路４３から非アクティブレベルのタイマ回路出力信号（切替信号）を受信すると、ソースドライバ用ＡＶＤＤ電源回路７の出力電圧を初期状態にする（Ｓ１８）。すなわち、ソースドライバ用ＡＶＤＤ電源回路７の出力電圧が初期状態の場合、電圧切替制御回路９ａは、ソースドライバ用ＡＶＤＤ電源回路７の出力電圧を初期状態のまま維持する。また、ソースドライバ用ＡＶＤＤ電源回路７の出力電圧が電圧降下状態であれば、出力電圧の電圧値を上昇させて初期値に戻す。
【０１１３】
これにより、ソースドライバ用電力供給装置１０は、初期設定の電圧値を出力電圧として、ソースドライバ３に電力を供給する。
【０１１４】
＜補足＞
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１５】
本発明は、液晶モジュールにおけるソースドライバに電力を供給する電力供給装置に利用することができる。
【符号の説明】
【０１１６】
１、１ａ    液晶モジュール
２    液晶パネル
３    ソースドライバ
４    ゲートドライバ
５    ゲートドライバ用ＶＧｏｎ電源回路
６    ゲートドライバ用ＶＧｏｆｆ電源回路
７    ソースドライバ用ＡＶＤＤ電源回路
８、８ａ    電流検出回路（電流検出手段）
９、９ａ    電圧切替制御回路（電圧降下手段）
１０、１０ａ    ソースドライバ用電力供給装置
１１    タイマ回路（出力維持手段）
【図１】
2013104926.tif 000003
【図２】
2013104926.tif 000004
【図３】
2013104926.tif 000005
【図４】
2013104926.tif 000006
【図５】
2013104926.tif 000007
【図６】
2013104926.tif 000008
【図７】
2013104926.tif 000009
【図８】
2013104926.tif 000010
【図９】
2013104926.tif 000011
【図１０】
2013104926.tif 000012
【図１１】
2013104926.tif 000013
【図１２】
2013104926.tif 000014
【図１３】
2013104926.tif 000015
【図１４】
2013104926.tif 000016
【図１５】
2013104926.tif 000017
【図１６】
2013104926.tif 000018
【図１７】
2013104926.tif 000019